(57)【要約】【課題】間接熱転写記録方式のプリンタにおいて、種々の原因で発生する画質不良を含んだまま被転写体に転写してしまうことを防ぐ。【解決手段】熱転写インクリボン１２と、サーマルヘッド１１と、中間転写フィルム２２を用い、記録画像を中間転写フィルム上に熱転写記録して一次転写画像を設ける一次転写部１０と、一次転写画像を熱圧転写して被転写体に二次転写画像を設ける二次転写部２０を有する間接熱転写プリンタ１であって、一次転写部と二次転写部の中間に一次転写画像を撮像する撮像部３０を有し、撮像部で撮像された一次転写画像の撮像データと記録画像の元データを比較し、その差があらかじめ定めた基準よりも大きいときは二次転写を行わず記録画像の一次転写を再度行えるように制御する比較制御部４０を有する。【選択図】図１
2018187833.tif 000002
【特許請求の範囲】
【請求項１】
耐熱性の基材上に複数種類の熱転写インクが面順次に塗り分けられた熱転写インクリボンと、サーマルヘッドと、中間転写フィルムを用い、記録画像を前記中間転写フィルム上に熱転写記録して一次転写画像を設ける一次転写部と、前記一次転写画像を熱圧転写して被転写体に二次転写画像を設ける二次転写部を有する間接熱転写プリンタであって、前記一次転写部と前記二次転写部の中間に前記一次転写画像を撮像する撮像部を有し、前記撮像部で撮像された一次転写画像の撮像データと前記記録画像の元データを比較し、その差があらかじめ定めた基準よりも大きいときは二次転写を行わず前記記録画像の一次転写を再度行えるように制御する比較制御部を有することを特徴とする間接熱転写プリンタ。
【請求項２】
前記熱転写インクリボンが、前記被転写体にカラー画像記録を行うためのカラーインク層と、セキュリティ性を付与するためのセキュリティインク層を有していることを特徴とする請求項１に記載の間接熱転写プリンタ。
【請求項３】
前記セキュリティインク層が、蛍光インク層、赤外反射インク層、赤外吸収インク層、ホログラム層、細紋印刷層またはパールインク層から選択されたものであることを特徴とする請求項２に記載の間接熱転写プリンタ。
【請求項４】
前記熱転写インクリボンが、前記被転写体との接着性を高めるためのプライマ層を有していることを特徴とする請求項１から３のいずれかに記載の間接熱転写プリンタ。
【請求項５】
前記撮像部が、固体撮像素子カメラであることを特徴とする請求項１から４のいずれかに記載の間接熱転写プリンタ。
【請求項６】
耐熱性の基材上に複数種類の熱転写インクが面順次に塗り分けられた熱転写インクリボンにサーマルヘッドを当接させて記録画像のデータに応じて前記熱転写インクを中間転写フィルムに一次転写して一次転写画像を設け、前記一次転写画像を熱圧により二次転写して被転写体に二次転写画像を設け、前記被転写体に前記記録画像を転写記録する間接熱転写記録方法であって、一次転写の後、前記一次転写画像を撮像し、得られた撮像データを前記記録画像の元データと比較し、その差があらかじめ定めた基準を上回るときは一次転写不良と判定して二次転写を行わず、前記記録画像の一次転写を再度行えるようにすることを特徴とする間接熱転写記録方法。
【発明の詳細な説明】
【技術分野】
【０００１】
本発明は、ＩＤカードやパスポートなど被転写体の全面、または部分的に、被転写体毎に異なる印字・絵柄等の画像を、熱転写インクリボンを用いて中間転写フィルムに一旦転写した後、中間転写フィルムから被転写体に転写することにより形成する間接熱転写プリンタに関し、特に、被転写体に転写する前に中間転写フィルムに形成された画像の画質をチェックすることで無駄に転写を行うことのない間接熱転写プリンタに関する。
【背景技術】
【０００２】
従来、サーマルヘッドプリンタを用いて階調画像を形成する熱転写記録方式としては、昇華転写方式と溶融転写方式が知られている。
昇華転写方式は、昇華性（熱移行性）染料とバインダ樹脂とからなる熱転写記録層を支持体上に設けた熱転写インクリボンを受像シートと重ね、サーマルヘッドの熱量に応じて熱転写記録層中の昇華型染料を受像シート上に移行させ階調画像を形成するものである。また、イエロー、マゼンタ、シアンよりなる熱転写インクリボンを用いて、受像シート上に重ねて画像を形成することにより、カラー画像を形成することも可能である（特許文献１）。
【０００３】
一方、溶融転写方式は、支持体上に顔料や染料などの色材とワックスなどの結合剤からなる熱溶融性の転写インキ層を設けた熱転写インクリボンを用いてサーマルヘッド等の加熱デバイスに画像情報に応じたエネルギーを印加し、受像シート上に転写インキ層を融着させて画像を形成させる方式である。溶融転写方式によって形成される画像は、高濃度で鮮鋭性に優れ、文字、線画等の２値画像の記録に適している。また、イエロー、マゼンタ、シアン、ブラックよりなる熱転写インクリボンを用いて、受像シート上に重ねて画像を形成することにより、カラー画像の形成も可能である（特許文献１）。 
【０００４】
熱転写記録方式の利用されている分野の例として、身分証明書、社員証、運転免許証などで代表されるＩＤカードや、パスポート、ビザなどの特定個人を証明する通帳（以後ＩＤ通帳と呼ぶ）があり、その保持人を特定しかつ偽造されないように、顔写真や個人属性情報が、地紋や細紋などの模様とともに保護層と一体となった転写記録として、その表面全面あるいは部分領域に施されている。
【０００５】
このＩＤカードやＩＤ通帳などを発行する装置である転写プリンタとして、イエロー、マゼンタ、シアン、墨で塗り分けたフルカラーの熱転写インクリボンからサーマルヘッドにて所望の文字・画像等の記録を一旦中間転写フィルム上に形成後、所定位置にセットしたＩＤカード、ＩＤ通帳等の被転写体にヒートローラにて転写させる間接熱転写方式のプリンタが印画品質も高く顔写真が細部まで再現可能であることから広く利用されている。
【０００６】
間接熱転写方式のプリンタは、高い印画品質が得られる一方で、薄い中間転写フィルムを記録する色ごとに巻戻して色重ねを行うため、色重ねの位置ズレ、熱によるフィルムの伸び縮みによる転写位置や印画サイズのばらつきなどが問題点としてあげられていた。このような問題点に対して、特許文献２に開示されている間接熱転写方式のプリンタにおいては、中間転写フィルムの記録画面の搬送方向の上流側と下流側に、あらかじめ印刷により基準マークを設け、最初に転写するインクの転写後に基準マークの間隔を測定して、最初の転写に伴う中間フィルムの熱収縮量を算出し、２色目以降の転写を行う際のサーマルヘッドの通電タイミングを補正することで、色重ね精度を良好なものとすることができるとしている。
【０００７】
しかしながら、中間転写フィルムの熱による伸び縮みは、転写する各色で発生し、その度合いは記録する画像の各色の濃度分布によってもばらつくため、最初の１色での伸び縮み量からだけでは必ずしも十分な補正が行えず、色ずれなどは十分に解消できなかった。また、それ以外の画質不良の原因として、中間転写フィルムやインクリボンの搬送ズレに伴うシワの発生や、中間転写フィルムやインクリボンに付着する塵や埃による色抜け、転写抜けなどの画質不良が発生することがあり、特許文献２に記載のプリンタおよび記録方法ではこれらの問題点に対しては対応ができず、画質不良の状態で被転写体に転写されてしまうことにより、工程が無題になり、また被転写体も無駄となってしまうという課題があった。
【０００８】
さらに、近年では、間接熱転写記録方式のプリンタはＩＣカードやパスポートのような、セキュリティ性が高く、高価な被転写体向けにも適用されるようになり、このような画質不良の被転写体ができてしまうと、コスト面だけでなく、偽造や改ざんに悪用されるなど、セキュリティ面での問題にも繋がりかねないという課題があった。
【先行技術文献】
【特許文献】
【０００９】
【特許文献１】特開２００１−２１３０５３号公報
【特許文献２】特開２００４−３２２４０４号公報
【発明の概要】
【発明が解決しようとする課題】
【００１０】
本発明は、上記のような従来技術の課題に対し、間接熱転写記録方式のプリンタにおいて、種々の原因で発生する画質不良を含んだまま被転写体に転写してしまうことを防ぐことができる間接熱転写プリンタおよび間接熱転写記録方法を提供することを課題とする。
【課題を解決するための手段】
【００１１】
上記課題を解決するため、本発明の請求項１に係る発明は、
耐熱性の基材上に複数種類の熱転写インクが面順次に塗り分けられた熱転写インクリボンと、サーマルヘッドと、中間転写フィルムを用い、記録画像を前記中間転写フィルム上に熱転写記録して一次転写画像を設ける一次転写部と、前記一次転写画像を熱圧転写して被転写体に二次転写画像を設ける二次転写部を有する間接熱転写プリンタであって、前記一次転写部と前記二次転写部の中間に前記一次転写画像を撮像する撮像部を有し、前記撮像部で撮像された一次転写画像の撮像データと前記記録画像の元データを比較し、その差があらかじめ定めた基準よりも大きいときは二次転写を行わず前記記録画像の一次転写を再度行えるように制御する比較制御部を有することを特徴とする間接熱転写プリンタである。
【００１２】
また請求項２に係る発明は、
前記熱転写インクリボンが、前記被転写体にカラー画像記録を行うためのカラーインク層と、セキュリティ性を付与するためのセキュリティインク層を有していることを特徴とする請求項１に記載の間接熱転写プリンタである。
【００１３】
また請求項３に係る発明は、前記セキュリティインク層が、蛍光インク層、赤外反射インク層、赤外吸収インク層、ホログラム層、細紋印刷層またはパールインク層から選択されたものであることを特徴とする請求項２に記載の間接熱転写プリンタである。
【００１４】
また請求項４に係る発明は、
前記熱転写インクリボンが、前記被転写体との接着性を高めるためのプライマ層を有していることを特徴とする請求項１から３のいずれかに記載の間接熱転写プリンタである。
【００１５】
また請求項５に係る発明は、
前記撮像部が、固体撮像素子カメラであることを特徴とする請求項１から４のいずれかに記載の間接熱転写プリンタである。
【００１６】
また請求項６に係る発明は、
耐熱性の基材上に複数種類の熱転写インクが面順次に塗り分けられた熱転写インクリボンにサーマルヘッドを当接させて記録画像のデータに応じて前記熱転写インクを中間転写フィルムに一次転写して一次転写画像を設け、前記一次転写画像を熱圧により二次転写して被転写体に二次転写画像を設け、前記被転写体に前記記録画像を転写記録する間接熱転写記録方法であって、一次転写の後、前記一次転写画像を撮像し、得られた撮像データを前記記録画像の元データと比較し、その差があらかじめ定めた基準を上回るときは一次転写不良と判定して二次転写を行わず、前記記録画像の一次転写を再度行えるようにすることを特徴とする間接熱転写記録方法である。
【発明の効果】
【００１７】
本発明の請求項１の発明によれば、中間転写フィルム上に設けられた一次転写画像を被転写体上に二次転写される前に撮像し、撮像データを記録画像の元データと比較して一次転写不良と判定されたときは被転写体への二次転写を行わず、一次転写を再度行えるようにすることで、色重ねズレ、位置ズレ、埃や塵による印画抜け、中間転写フィルムやインクリボンのシワなど、原因に係りなく、一次転写画像に画質不良があるときは一次転写画像を被転写体にそのまま転写してしまうことを防ぐことができ、画質不良の被転写体を作成してしまうことがなく、無駄な二次転写工程を実行する必要がなく、被転写体を無駄にすることがない間接熱転写プリンタが得られる。
【００１８】
また本発明の請求項２の発明によれば、熱転写インクリボンがセキュリティインク層を有していることにより、被転写体に通常の目視画像情報に加えてセキュリティ性を付与できる間接熱転写プリンタが得られる。
【００１９】
また本発明の請求項３の発明によれば、被転写体上で容易に検証及び確認が可能なセキュリティ性が得られる間接熱転写プリンタが得られる。
【００２０】
また本発明の請求項４の発明によれば、インクリボン側にプライマ層があることで、被転写体側にプライマ層を別に設ける必要が無く、多様な被転写体への転写記録に対応できる間接熱転写プリンタが得られる。
【００２１】
また本発明の請求項５の発明によれば、コンパクトで性能の安定した撮像部とすることができ、プリンタ内部に設けることが容易である間接熱転写プリンタが得られる。
【００２２】
また本発明の請求項６の発明によれば、中間転写フィルム上に設けられた一次転写画像を撮像した撮像データと元データの差があらかじめ定めた基準を上回ったときは一次転写不良と判定して被転写体への二次転写を行わず、中間転写フィルムに再度、一次転写を行えるようにすることにより画質不良の一次転写画像をそのまま被転写体に二次転写して、画質不良の被転写体を作成してしまうことがなく、工程の無駄がなく、被転写体も無駄にすることがない間接熱転写記録方法が得られる。
【図面の簡単な説明】
【００２３】
【図１】本発明の間接熱転写プリンタの構成模式図である。
【図２】本発明の間接熱転写プリンタでの一次転写する様子の模式図である。
【図３】中間転写フィルムに一次転写された画像を撮像部で撮像する様子の模式図である。
【図４】中間転写フィルムから被転写体に二次転写する様子の模式図である。
【図５】画像が転写された被転写体を排出する様子の模式図である。
【図６】画像が一次転写された中間転写フィルムと被転写体を重ねた状態の透視図である。
【図７】熱転写インクリボンの層構成例を示す模式図である。
【図８】本発明の間接熱転写プリンタの別の構成模式図である。
【発明を実施するための形態】
【００２４】
以下、本発明の実施形態の例を、図面を参照しながら詳細に説明する。なお本発明は以下の実施形態に限定して解釈されるものではない。
【００２５】
図１は、本発明の間接熱転写プリンタの一実施形態の構成模式図である。間接熱転写プリンタ（以下、単にプリンタということもある。）１は、一次転写部１０、二次転写部２０、撮像部３０、比較制御部４０、熱転写インクリボン１２、中間転写フィルム２２および搬送機構として搬送ローラ５２を有している。被転写体５１は、複数の搬送ローラ５２により、図示しない搬入口から搬出口に向かって搬送される。
【００２６】
一次転写部１０は、サーマルヘッド１１とそれに対向するプラテンローラ１３を有し、その間を、巻出ロール１４から巻取ロール１５へ張り渡された熱転写インクリボン１２と、巻出ロール２３から巻取ロール２４まで撮像部３０と二次転写部２０を通過して張り渡された中間転写フィルム２２が通過している。サーマルヘッド１１はプラテンローラ１３に圧接される位置と圧接を解除される位置の間で図示しない付勢手段により付勢されて移動可能となっている。熱転写インクリボン１２は、少なくともカラー画像や文字画像の記録が行えるようにイエロー、マゼンタ、シアン、墨の各色の熱転写インク層で面順次に塗り分けられており、各色の熱転写インク層の基準位置を示すためのリボンセンサマークが設けられるのが一般的であるため、一次転写部１０に近接してリボンセンサマークを検出するためのセンサ１７が設けられている。また中間転写フィルム２２にも、図６に例示したように記録画像ごとの一次転写領域の基準位置を示すフィルムセンサマーク２７が設けられるのが一般的であり、フィルムセンサマーク２７を検出するためのセンサ１６が同様に設けられている。
【００２７】
二次転写部２０は、熱源を有するヒートローラ２１を有している。ヒートローラ２１は、中間転写フィルム２２を被転写体５１に圧接する位置と圧接を解除する位置の間を図示しない付勢手段により付勢されて移動可能となっている。ヒートローラ２１の熱源は図示したようにローラに内蔵したヒータのほか、ローラ外部から加熱する赤外線ヒータやハロゲンランプなどであっても良く、特に限定されない。またヒートローラの熱がプリンタ内の他の部分に伝わるのを遮蔽するための遮蔽板や、発生する熱気をプリンタ１の外部に排出するための排気ダクト、排気ファン、排気スリットなどを適宜設けることができる。ヒートローラ２１を圧接するときのバックアップローラとして、ヒートローラ２１に対向する位置の搬送ローラ５２を利用しても良く、あるいは別にバックアップローラを設けても良い。また、中間転写フィルム２２が二次転写を開始する基準位置にあることを検出するため、フィルムセンサマーク２７を検出するセンサ２５と、被転写体５１が同じく二次転写の基準位置にあることを検出するためのセンサ２６が二次転写部２０に近接して設けられている。
【００２８】
撮像部３０は、中間転写フィルム２２上に設けられた一次転写画像を撮像し、撮像データを比較制御部４０に送るためのもので、撮像するための固体撮像素子カメラ３１が設けられている。固体撮像素子は、公知のＣＣＤ、ＣＭＯＳのいずれであっても差し支えなく、解像度や素子数は適宜選択すれば良い。固体撮像素子のカメラとすることで、小型でプリンタ１の内部に装備することが容易であり、撮像性能の安定した撮像部とすることができる。またプリンタ内部は暗所であるため、別途ＬＥＤやＣＣＦＬなどで線光源、リング光源などの照明装置を設けても良い。また、中間転写フィルム２２が撮像を開始する基準位置にあることを検出するため、フィルムセンサマーク２７を検出するセンサ３２が撮像部３０に近接して設けられている。
【００２９】
比較制御部４０は、撮像部３０で撮像されて送られてくる中間転写フィルム２２上に設けられた一次転写画像の撮像データを、記録画像の元データと比較する。元データは図示しないメモリなどに格納され、サーマルヘッド１１での一次転写の際にも使用される。比較をする際の指標は、被転写体の要求仕様などに合わせて適宜選択のうえ設定でき、例えば色差、色濃度、色抜け、画像位置ズレ、画像サイズ、スキュー、ボイド、汚れ、筋ムラ、熱転写インクリボンシワ、熱転写インクリボン貼り付き、ゴミなどの異物の付着などが指標として撮像データから抽出できる。これらの指標から一次転写不良と判定する際の基準値は、被転写体の要求仕様に合わせて適宜値を設定し、比較制御部４０にバッファメモリなど設けて格納しておけば良い。一次転写不良と判定したときは、二次転写部２０での二次転写の動作を中止させ、一次転写部１０で再度、一次転写が行えるように準備をさせる。再度一次転写をさせるときは、単純に中間転写フィルム２２の次の記録領域に再度一次転写させるほか、記録画像中のセキュリティ性の高いデータを隠蔽するために、一次転写不良であった一次転写画像に重ねて、墨インクなどを転写して隠蔽するようにさせることもできる。
【００３０】
熱転写インクリボン１２は、耐熱性の基材、例えば公知の耐熱性のプラスチックフィルム、具体的にはポリエチレンテレフタレート、ポリエチレンナフタレート、ポリプロピレン、ポリスチレン、ポリカーボネート、ナイロン、ポリイミド、ポリ塩化ビニリデン、セロファンなどのプラスチックフィルム上に、カラー画像や文字画像の記録が行えるように、少なくともイエロー、マゼンタ、シアン、墨の各色の熱転写インク層で面順次に塗り分けられているが、塗り分けはこれに限られず、例えば図７に例示したように、基材１１０上にイエロー（Ｙ）１２１、マゼンタ（Ｍ）１２２、シアン（Ｃ）１２３、墨（Ｋ）１２４の４色のカラーインク層１２０に加え、セキュリティ性を付与するためのセキュリティ層（Ｓ）１３０や、被転写体５１との接着性を向上させるためのプライマ層（Ｐ）１４０などを設けることができる。
カラーインク層１２０は、溶融熱転写型インクで設けられる墨１２４のインクを除き、溶融熱転写型インク、昇華熱転写型インクのどちらでも用いることができ、溶融熱転写型インクであれば、各色の顔料と、バインダ樹脂、ワックス類、分散剤などの添加剤等、公知の材料を組み合わせて調製することができる。昇華熱転写インクであれば、各色の昇華性染料をバインダ樹脂に担持させた態様で、公知の材料を組み合わせて調製できる。
【００３１】
セキュリティ層１３０は要求仕様に応じて種々のものを設けることができ、例えば紫外線を照射すると蛍光を発する蛍光インク層、赤外反射インク層、赤外吸収インク層、ホログラム層、細紋印刷層または真珠様光沢を呈するパールインク層などが好適なものとして例示できるが、これらに限られるものではない。それぞれ、バインダ樹脂に公知の各種機能性の顔料または染料等を分散または溶解させて調整することができる。またセキュリティ層１３０は複数設けることもでき、異なる種類のセキュリティ層を組み合わせて設けることができる。
プライマ層１４０は、公知の熱可塑性樹脂を主体に構成され、ポリエステル樹脂、ポリエチレン樹脂、ポリプロピレン樹脂、アクリル系樹脂、ポリウレタン系樹脂、ビニル系樹脂などを例示でき、これらから被転写体の材質などに合わせて適宜選択して組み合わせて調製することができる。
【００３２】
中間転写フィルム２２は、耐熱性の基材として公知の耐熱性のプラスチックフィルムを
好適に用いることができ、ポリエチレンテレフタレート、ポリエチレンナフタレート、ポリプロピレン、ポリスチレン、ポリカーボネート、ナイロン、ポリイミド、ポリ塩化ビニリデン、セロファンなどのプラスチックフィルムを例示することができ、さらに受像層を積層することもできる。受像層を設けると、一次転写の際の熱転写インクリボン１２からの熱転写インク層の転写をより好適に行うことができ、また二次転写の際に受像層ごと被転写体５１に転写することで、受像層が二次転写された記録画像の保護層としても機能するため好適である。
【００３３】
搬送機構は、図１に例示したように、複数の搬送ローラ５２を設けて図示しない駆動源により付勢されて回転することにより被転写体５１を搬送する。搬送機構はこれ以外にも、例えば図８に例示したように、被転写体５１を載置するステージ５４を有して、ステージ５４がボールネジ５５の回転により直線移動するようにしても良い。このとき、ステージ５４は二次転写部においてバックアップローラの代替の機能を果たすことができる。また、図示しないが、搬送機構の前段に被転写体の挿入口、後段に排出口を設けることができる。
【００３４】
続いて各部の動作をより詳細に図面を参照しながら説明する。
図２は、一次転写を行う様子の模式説明図であり、図７に例示した熱転写インクリボン１２を使用する場合について説明する。熱転写インクリボン１２と中間転写フィルム２２をサーマルヘッド１１とプラテンローラ１３で加圧挟持し、所望の画像データに応じてサーマルヘッド１１の発熱素子を発熱させ、熱転写インクリボン１２に設けられた各色の熱転写インク層から中間転写フィルム２２に熱転写インクを熱転写する。このとき、各色の熱転写インクの熱転写は面順次に行われ、１色目のイエロー１２１の記録が終了したら、中間転写フィルム２２は基準位置まで巻き戻され、次の色であるマゼンタ１２２の熱転写を重ねて行う。同様にシアン１２３、墨１２４の熱転写を順次行い、さらにセキュリティ層１３０を重ねて熱転写を行う。続いてプライマ層１４０を記録媒体５１の記録面の面積に合わせて全面に重ねて熱転写し、中間転写フィルム２２への一次転写が終了し、中間転写フィルム２２には一次転写画像６１が形成される。なお、熱転写インクリボン１２および中間転写フィルム２２の位置合わせは、前述のようにそれぞれのセンサマークを各センサで検出することで可能となっている。
【００３５】
図３は、撮像部３０の固体撮像素子カメラ３１で一次転写画像６１を撮像する様子の模式説明図である。一次転写が行われた中間転写フィルム２２を巻き取り、一次転写画像６１を固体撮像素子カメラ３１での撮像ができる部位まで搬送する。固体撮像素子カメラ３１は一次転写画像６１を撮像し、撮像データは撮像部３０から比較制御部４０に送られる。比較制御部４０では撮像データを記録画像の元データと比較し、画質不良の度合いを判定し、一次転写不良と判定したときは二次転写のための動作を行わずに中止し、一次転写部１０で再度一次転写が行えるように準備をさせる。このとき、画質不良となった一次転写画像については、個人情報などセキュリティ性の高い情報が残されていることがあるため、中間転写フィルム２２を巻戻して画質不良の一次転写画像の上にさらに重ねて墨インクを転写するなどして、セキュリティ性の高い情報が隠蔽されるようにしても良い。隠蔽が必要なセキュリティ性の高い情報が無い場合は、単純に中間転写フィルム２２の次の記録領域に再度一次転写を行う様にして良い。一次転写画像が不良でないと判定したときは引き続き二次転写に工程を進める。
【００３６】
図４は、二次転写を行う様子の模式説明図であり、中間転写フィルム２２と被転写体５１を、一次転写画像６１を被転写体５１に熱圧転写する転写開始位置まで搬送し、ヒートローラ２１を中間転写フィルム２２と共に被転写体５１に圧接を開始した状態の図である。ヒートローラ２１は被転写体５１に圧接すると共に回転し、回転に同期して中間転写フィルム２２と被転写体５１を搬送して中間転写フィルム２２の一次転写画像６１を被転写体５１に熱圧転写する。中間転写フィルム２２に受像層が設けてある場合は同時に転写することができる。二次転写終了後の被転写体５１には二次転写画像６２が形成され、図５に示すように排出される。以上のようにして被転写体５１への間接熱転写記録が行われる。
【００３７】
図６は、二次転写が行われるときの中間転写フィルム２２と被転写体５１の態様を平面視した模式図である。一次転写画像６１が設けられた中間転写フィルム２２と被転写体５１は、中間転写フィルムのセンサマーク２７と被転写体のエッジ５３をセンサ２５，２６でそれぞれ検出し、二次転写開始位置の位置合わせを行うことで、所定の位置に二次転写を行うことができる。
【００３８】
以上説明したように、本発明の間接熱転写プリンタおよび間接熱転写記録方法によれば、中間転写フィルムへの一次転写画像を撮像部で撮像し、撮像データと元データを比較し、画質不良があったときは二次転写を行わないようにすることができ、無駄な二次転写工程を実施せずに済み、被転写体を無駄にせず、画質不良の被転写体が作成されることが無い。
【符号の説明】
【００３９】
１・・・間接熱転写プリンタ
１０・・・一次転写部
１１・・・サーマルヘッド
１２・・・熱転写インクリボン
１３・・・プラテンローラ
２０・・・二次転写部
２１・・・ヒートローラ
２２・・・中間転写フィルム
３０・・・撮像部
３１・・・固体撮像素子カメラ
４０・・・比較制御部
５１・・・被転写体
５２・・・搬送ローラ
５３・・・エッジ
５４・・・ステージ
５５・・・ボールネジ
６１・・・一次転写画像
６２・・・二次転写画像
１１０・・・基材フィルム
１２０・・・カラーインク層
１３０・・・セキュリティ層
１４０・・・プライマ層
【図１】
2018187833.tif 000003
【図２】
2018187833.tif 000004
【図３】
2018187833.tif 000005
【図４】
2018187833.tif 000006
【図５】
2018187833.tif 000007
【図６】
2018187833.tif 000008
【図７】
2018187833.tif 000009
【図８】
2018187833.tif 000010